(57)【要約】      （修正有）【課題】着脱が容易にでき、日常的に足指裏の付根の指圧つぼに対して指圧効果を発揮する中敷きを提供する。【解決手段】履物の中敷きにおいて、履物を履く人の足指裏の付根があたる位置に設けられた突起物２を複数有し、中敷きにおける人の足側の面からの突起物２の高さが２ｍｍ〜６．５ｍｍの範囲内にあるように構成した。突起物は、親指、人差し指、中指、薬指、及び小指ごとに設けられており、親指に対応する突起物の高さは、人差し指に対応する突起物の高さと同一、またはより高く、人差し指に対応する前記突起物の高さは、中指、薬指、及び小指それぞれに対応する突起物の高さより高いことが好ましい。【選択図】図１
0003187756.tif 000002
【実用新案登録請求の範囲】
【請求項１】
履物の中敷きにおいて、
前記履物を履く人の足指裏の付根があたる位置に設けられた突起物を複数有し、
前記中敷きにおける前記人の足側の面からの前記突起物の高さが２ｍｍ〜６．５ｍｍの範囲内にあることを特徴とする履物の中敷き。
【請求項２】
請求項１に記載の履物の中敷きにおいて、
前記突起物は、親指、人差し指、中指、薬指、及び小指ごとに設けられており、
親指に対応する前記突起物の高さは、人差し指に対応する前記突起物の高さと同一、または人差し指に対応する前記突起物の高さより高く、
人差し指に対応する前記突起物の高さは、中指、薬指、及び小指それぞれに対応する前記突起物の高さより高いことを特徴とする履物の中敷き。
【請求項３】
請求項１または２に記載の履物の中敷きにおいて、
前記突起物の形状は球であることを特徴とする履物の中敷き。
【請求項４】
請求項１または２に記載の履物の中敷きにおいて、
前記突起物の形状は球面もしくは局面であることを特徴とする履物の中敷き。
【請求項５】
請求項３に記載の履物の中敷きにおいて、
親指に対応する前記突起物の直径は５ｍｍ〜６．５ｍｍの範囲内にあり、
人差し指に対応する前記突起物の直径は３．５ｍｍ〜５ｍｍの範囲内にあり、
中指に対応する前記突起物の直径は２ｍｍ〜３．５ｍｍの範囲内にあり、
薬指に対応する前記突起物の直径は２ｍｍ〜３ｍｍの範囲内にあり、
小指に対応する前記突起物の直径は２ｍｍ〜３ｍｍの範囲内にあることを特徴とする履物の中敷き。
【請求項６】
請求項１ないし５の何れか一項に記載の履物の中敷きにおいて、
前記突起物は、プラスチック素材からなることを特徴とする履物の中敷き。
【請求項７】
請求項１ないし６の何れか一項に記載の履物の中敷きにおいて、
前記中敷きは、シリコン・ポリウレタンなどの滑り止め効果のある素材からなることを特徴とする履物の中敷き。
【考案の詳細な説明】
【技術分野】
【０００１】
本考案は、着脱が容易にでき、日常的に足裏のつぼに対して指圧効果を提供する履物の中敷きの技術分野に関する。
【背景技術】
【０００２】
図９に示すように、足Ｆの裏側には、多数の指圧つぼが存在する。これらの指圧つぼに対して、足裏面に接するように多数の突起物を形成した中敷きが知られている（特実昭６１−１２３７１４号公報参照）。また、５本の足指裏の付根Ｔ１，Ｔ２・・・（図９参照）に対しては、指圧突起を施したゴム状のサポーターやリング状の装置を用いて指圧するものが知られている（特許文献２参照）。
【先行技術文献】
【特許文献】
【０００３】
【特許文献１】特実昭６１−１２３７１４号公報
【特許文献２】特開２０１０−１６２０５２号公報
【考案の概要】
【考案が解決しようとする課題】
【０００４】
上記実用新案文献１で開示されるように、足裏全体や土踏まずに対する指圧効果を提供する中敷きは存在するが、この場合、足指裏の指圧つぼへの刺激が弱く、指圧効果を期待できない。
【０００５】
一方、上記特許文献２で開示されるように、足指への指圧効果に特化した場合、それぞれの足指に装着する装置では着脱が容易ではなく、日常的な使用による指圧効果を期待することが難しい。
【０００６】
本考案は、以上の点に鑑みてなされたものであり、着脱が容易にでき、日常的に足指裏の付根の指圧つぼに対して指圧効果を発揮する中敷きを提供することを目的とする。
【課題を解決するための手段】
【０００７】
上記課題を解決するために、請求項１に記載の考案は、履物の中敷きにおいて、前記履物を履く人の足指裏の付根があたる位置に設けられた突起物を複数有し、前記中敷きにおける前記人の足側の面からの前記突起物の高さが２ｍｍ〜６．５ｍｍの範囲内にあることを特徴とする。
【０００８】
また、請求項２に記載の考案は、請求項１に記載の履物の中敷きにおいて、前記突起物は、親指、人差し指、中指、薬指、及び小指ごとに設けられており、親指に対応する前記突起物の高さは、人差し指に対応する前記突起物の高さと同一、または人差し指に対応する前記突起物の高さより高く、人差し指に対応する前記突起物の高さは、中指、薬指、及び小指それぞれに対応する前記突起物の高さより高いことを特徴とする。
【０００９】
また、請求項３に記載の考案は、請求項１または２に記載の履物の中敷きにおいて、前記突起物の形状は球であることを特徴とする。
【００１０】
また、請求項４に記載の考案は、請求項１または２に記載の履物の中敷きにおいて、前記突起物の形状は球面もしくは局面であることを特徴とする。
【００１１】
また、請求項５に記載の考案は、請求項３に記載の履物の中敷きにおいて、  親指に対応する前記突起物の直径は５ｍｍ〜６．５ｍｍの範囲内にあり、人差し指に対応する前記突起物の直径は３．５ｍｍ〜５ｍｍの範囲内にあり、中指に対応する前記突起物の直径は２ｍｍ〜３．５ｍｍの範囲内にあり、薬指に対応する前記突起物の直径は２ｍｍ〜３ｍｍの範囲内にあり、小指に対応する前記突起物の直径は２ｍｍ〜３ｍｍの範囲内にあることを特徴とする。
【００１２】
また、請求項６に記載の考案は、請求項１ないし５の何れか一項に記載の履物の中敷きにおいて、前記突起物は、強化ゴムまたはプラスチック素材からなることを特徴とする。
【００１３】
また、請求項７に記載の考案は、請求項１ないし６の何れか一項に記載の履物の中敷きにおいて、前記中敷きは、シリコン・ポリウレタンなどの滑り止め効果のある素材からなることを特徴とする。
【考案の効果】
【００１４】
以上のように、本考案における中敷きによれば、着脱が容易にでき、日常的に足指裏の付根の指圧つぼに対して指圧効果を発揮することができる。
【図面の簡単な説明】
【００１５】
【図１】第１実施形態にかかる中敷きの形状を示す外観図である。
【図２ａ】第１実施形態にかかる中敷きの横（内側）から見た断面図である。
【図２ｂ】第１実施形態にかかる中敷きの横（内側）から見た断面図である。
【図３】第１実施形態にかかる中敷きの前から見た左足用の断面図である。
【図４】第１実施形態にかかる中敷きの前から見た左足用の断面図である。
【図５】第１実施形態にかかる中敷きを靴の中底に敷設する場合の図である。
【図６】第１実施形態にかかる中敷きを靴に使用して足を載置した断面図である。
【図７】第２実施形態にかかる中敷きの形状を示す外観図である。
【図８】第２実施形態にかかる中敷きをサンダルの中底に敷設する場合の図である。
【図９】人の足裏における指圧つぼを示す正面図である。
【考案を実施するための形態】
【００１６】
以下、図面を参照して本考案を実施するための形態について説明する。
【００１７】
＜第１実施形態＞
先ず、図１〜図６を用いて、第１実施形態にかかる履物の中敷きについて説明する。
【００１８】
図１は第１実施形態にかかる中敷きの形状を示す外観図であり、図２ａ、図２ｂは第１実施形態にかかる中敷きの横（内側）から見た断面図であり、図３及び図４は第１実施形態にかかる中敷きの前から見た左足用の断面図であり、図５は第１実施形態にかかる中敷きを靴の中底に敷設する場合の図であり、図６は第１実施形態にかかる中敷きを靴に使用して足を載置した断面図である。
【００１９】
なお、各部材の詳細については後述する。また、以下のすべての図において、同一の部材名又は部材番号が示された部材は、少なくとも同一の構成及び同一の機能を有するものとする。
【００２０】
図１に示すように、履物の中敷きにおける中敷基板１は、履物を履く人の足指裏の付根があたる位置に設けられた突起物２を複数有しており、図２に示すように、中敷基板１には突起物２が例えば接着材等により接合されている。中敷きにおける人の足側の面（つまり、中敷基板１の足側の面）からの突起物２の高さＨ（図２参照）は、２ｍｍ〜６．５ｍｍの範囲内に設定される。
【００２１】
なお、本実施形態では、突起物２は、親指、人差し指、中指、薬指、及び小指ごとに個々に設けることも可能であり、図３に示すように、順にＨ１，Ｈ２・・・Ｈ５として、それぞれが２ｍｍ〜６．５ｍｍの範囲内としているが、図４に示すように、突起物２を個々の指ごとに設けずに、すべて、或いは一部を繋げて設置してもよい。
【００２２】
また、図３に示すように、親指に対応する突起物２の高さＨ１は、人差し指に対応する突起物２の高さＨ２と同一、または人差し指に対応する突起物２の高さＨ２より高く、人差し指に対応する突起物２の高さＨ２は、中指、薬指、及び小指それぞれに対応する突起物２の高さＨ３〜Ｈ５より高いほうが望ましい。これにより、それぞれの足指裏の付根に応じた刺激を与えることができる。
【００２３】
また、親指に対応する突起物２の直径は５ｍｍ〜６．５ｍｍの範囲内にあり、人差し指に対応する突起物２の直径は３．５ｍｍ〜５ｍｍの範囲内にあり、中指に対応する突起物２の直径は２ｍｍ〜３．５ｍｍの範囲内にあり、薬指に対応する突起物２の直径は２ｍｍ〜３ｍｍの範囲内にあり、小指に対応する突起物２の直径は２ｍｍ〜３ｍｍの範囲内にあるように構成することで、足指裏の付根まで距離や履物を履く人の体重のかかり方に応じて、指圧効果を一層高めることができる。
【００２４】
また、突起物２の形状は、図２ａに示すように球体であれば、取り付けが容易で、また、図６に示すように、足指裏の付根への馴染みが良くなり、履き心地も良くなるので好ましい。なお、図２ｂに示すように、球体以外の例えば角柱などであっても、突起物が足指裏の付根に刺激を与えるものであれば、その形状に限定されるものではない。
【００２５】
また、図３の例では、突起物２の形状は個々の球体としているが、球面もしくは局面とすることでも同様の履き心地は得られる。
【００２６】
なお、突起物２の素材は、作成の容易性や刺激の強さを考慮すればプラスチック素材が好ましいが、足指裏の付根に刺激を与える効果を得られるものであれば限定されるものではなく、また、あまり強い刺激を好まない場合にはシリコンなどのゴムのような柔軟性のある素材も用いることができる。
【００２７】
なお、中敷基板１の素材は、前述した突起物２と同一素材でもよいが、使用感や通気性、色や形状などを考慮することが望ましく、特に限定されない。
【００２８】
＜第２実施形態＞
次に、図７〜図８を用いて、第２実施形態にかかる履物の中敷きについて説明する。
【００２９】
図７は第２実施形態にかかる中敷きの形状を示す外観図であり、図８は第２実施形態にかかる中敷きをサンダルの中底に敷設する場合の図である。
【００３０】
図７に示すように、第２実施形態では、第１実施形態の場合と同様に、履物の中敷きにおける中敷基板１は、履物を履く人の足指裏の付根があたる位置に設けられた突起物２を複数有しており、図２に示すように中敷基板１に突起物２が接合しているが、第１実施形態の場合と異なり、中敷基板１のかかと側が途中で切断されている。
【００３１】
図８に示すように、サンダルやミュール等では、ファッション性の問題から、中底全体に中敷きを使用する例が少なく、土ふまずより前の部分のみの形状の中敷きであることが望ましい。
【００３２】
なお、図８に示すように、ヒールの高い履物の場合は、滑り止め効果の高いシリコン・ポリウレタンなどの素材が好ましいが、粘着性を有するシート状の素材であれば限定されるものではない。
【００３３】
以上説明したように、上記第１または第２実施形態によれば、履物の中敷きにおいて、履物を履く人の足指裏の付根があたる位置に設けられた突起物２を複数有し、中敷きにおける人の足側の面からの突起物２の高さが２ｍｍ〜６．５ｍｍの範囲内にあるように構成したので、着脱が容易にでき、日常的に足指裏の付根の指圧つぼに対して適切に指圧効果を発揮することができる。
【００３４】
なお、本考案は、上記実施形態に限定されるものではなく、種々の形態にて実施することが可能である。
【符号の説明】
【００３５】
１  中敷基板
２  突起物
【図１】
0003187756.tif 000003
【図２ａ】
0003187756.tif 000004
【図２ｂ】
0003187756.tif 000005
【図３】
0003187756.tif 000006
【図４】
0003187756.tif 000007
【図５】
0003187756.tif 000008
【図６】
0003187756.tif 000009
【図７】
0003187756.tif 000010
【図８】
0003187756.tif 000011
【図９】
0003187756.tif 000012